(57)【特許請求の範囲】
【請求項１】
ビーズに固定した金属製の線材の丸めた部分に丸カン類を通してビーズユニットを作り、この１個のビーズユニットを用いて、または前記丸カン類を共有することで複数の前記ビーズユニットを連ねたものを用いて、装飾品を製作するための製作用の治具、
あるいは、金属製の線材を屈曲して形成するモチーフの丸めた部分に丸カン類を通してモチーフユニットを作り、前記丸カン類を共有することで複数の前記ビーズユニット及び前記モチーフユニットを連ねたものを用いて、装飾品を製作するための製作用の治具、
であって、前記線材を巻きつけるための筒状の本体と、この本体の開放された先端部に長手方向へ形成され前記丸カン類を挿入できるスリットと、を有することを特徴とする装飾品製作用の筒状治具。
【請求項２】
前記金属製の線材は、ワイヤーまたはピンであり、前記ビーズユニットは、前記ビーズに形成した貫通孔に前記線材を通して固定し、この固定した線材の丸めた部分に丸カン類を通して作ったものであり、前記装飾品はネックレス、イヤリング、リストリング、またはアンクルリングであることを特徴とする請求項１に記載の装飾品製作用の筒状治具。
【請求項３】
前記筒状の本体の先端部付近には、前記線材の始端部を挿入して係止するための係止孔が設けられていることを特徴とする請求項１、または２に記載の装飾品製作用の筒状治具。
【請求項４】
前記筒状の本体の先端部付近は、複数に分岐し、これら複数の先端部に、前記スリットが形成されていることを特徴とする請求項１、２、または３に記載の装飾品製作用の筒状治具。
【請求項５】
前記筒状の本体の先端部付近は、複数に分岐し、これら複数のうち一部の先端部には、前記スリットが形成され、残りの先端部は、径の異なる筒状となり、前記線材を連続して巻きつけることで前記モチーフがデザインされることを特徴とする請求項１、２、３、または４に記載の装飾品製作用の筒状治具。
【請求項６】
請求項１、２、３、または４に記載の筒状治具を複数隣接して固定し、これら複数の筒状治具に前記線材を連続して巻きつけることで前記モチーフをデザインして前記モチーフユニットを作り、前記装飾品を製作するための製作用の治具であって、
前記筒状治具の基部を挿入し固定するための多数の固定穴を有することを特徴とする装飾品製作用のデザインボード治具。
【請求項７】
請求項１、２、３、または４に記載の筒状治具を複数隣接して固定し、これら複数の筒状治具に前記線材を連続して巻きつけることで前記モチーフをデザインして前記モチーフユニットを作り、前記装飾品を製作するための製作用の治具であって、
前記筒状治具の基部を挿入するための溝と、この挿入された基部を締め付けることで前記溝における長手方向の位置を固定するネジ機構（移動または固定式も可、複数も可）と、を有することを特徴とする装飾品製作用のデザインボード治具。
【請求項８】
請求項１、２、３、または４に記載の筒状治具と、請求項５、または６に記載のデザインボード治具と、前記線材を巻きつけることで前記モチーフをデザインする際に、前記線材を補助的に支持するための形状を先端に形成した補助筒状治具と、を備えたことを特徴とする装飾品製作用の治具セット。
【発明の詳細な説明】
【技術分野】
【０００１】
この発明は、ビーズ、線材を用いて装飾品を製作するための治具の構造に関する。詳しくは、ビーズに固定した金属製の線材の丸めた部分に丸カン類を通してビーズユニットを作り、このビーズユニットを１個用いて、装飾品を製作する。または、丸カン類を共有することで複数のビーズユニットを連ね、装飾品を製作する。あるいは、金属製の線材を屈曲して形成するモチーフの丸めた部分に丸カン類を通してモチーフユニットを作り、丸カン類を共有することで複数のビーズユニット及びモチーフユニットを連ね、装飾品を製作する。それらの製作用の治具の構造に関する。
ここで丸カン類とは、図示する丸カン以外にも、後述するスリットに挿入できる形状の全ての金具、例えばパーツ、チェーン、などをいう。
【背景技術】
【０００２】
この発明においてビーズとは、自然石、人工石、プラスチック、ガラス、木片、貝、真珠など身体の装飾に用いられるもの全てをいう。また、装飾品とは、ネックレス、イヤリング、リストリング、またはアンクルリングなど、身体の装飾を行う全ての物品をいう。
【０００３】
そのようなビーズ、線材を用いて装飾品を製作する一般的な方法として、金属製の線材であるワイヤーやピンを、ビーズ（図６（Ｂ）、９図（Ｂ）参照）に貫通させるなどして固定し、その固定した金属製の線材の一部を丸め、その丸めた部分に丸カン（図６（Ｃ）参照）を通してビーズユニットを作る。
【０００４】
この１個のビーズユニットを用いて、イヤリングなどを製作する（９図（Ｄ）（完成品の一部）参照）。または丸カンを共有することで複数のビーズユニットを連ね、ネックレスなどを製作する（図６（Ｄ）（完成品の一部）参照）。
【０００５】
あるいは、さらに金属製の線材を屈曲してモチーフと呼ばれるものを形成する（１２図（Ｃ）参照）。そして、モチーフの丸めた部分に、丸カンを通して、モチーフユニットを作る。この丸カンを共有することで、複数のビーズユニット及びモチーフユニットを連ね、ネックレスあるいはイヤリングなどを製作する（１２図（Ｅ）参照）。
【０００６】
製作されたこれらの装飾品は、各ユニットが丸カンによって自由な動きが許される状態で連なり、装飾品に必要な全体的な柔軟性を有する。
これらの製作作業は、細かな作業をするための小さなペンチ、例えば平ペンチや丸ペンチなどを用いていた。
【０００７】
特に、金属製の線材の一部を丸める作業、線材を屈曲してモチーフと呼ばれるものを形成する屈曲作業などは、丸ペンチの先端に線材を巻きつけるなどして、行っていた。
また、下記特許文献１には、装身具用ワイヤーをコイル状に巻くために、芯材を用い、芯材の周りにワイヤーを巻きつける技術が開示される。
【特許文献１】特開２００１−２８６３１３
【発明の開示】
【発明が解決しようとする課題】
【０００８】
しかしながら仮に、上記特許文献１に記載するように芯材を用いて、線材の一部を丸める作業、線材を屈曲してモチーフと呼ばれるものを形成する屈曲作業などを行うにしても、丸カンが芯材に接触し干渉して、うまく作業が行えず、きれいな丸みが形成できず、きれいなモチーフが形成できない。
【０００９】
また、１本の芯材を用いるだけでは、複雑な形状を有するモチーフを形成できない。
この発明は、以上の問題点を解決するために、丸カンが芯材に干渉せず、よって、きれいな丸みが形成でき、きれいなモチーフが形成でき、さらに、複雑な形状を有するモチーフを形成できる装飾品製作用の筒状治具、デザインボード治具、及び治具セットを提供することを目的とする。
【課題を解決するための手段】
【００１０】
以上の課題を解決するために、第一発明は、ビーズに固定した金属製の線材の丸めた部分に丸カンを通してビーズユニットを作り、この１個のビーズユニットを用いて、または前記丸カンを共有することで複数の前記ビーズユニットを連ねたものを用いて、装飾品を製作するための製作用の治具、あるいは、金属製の線材を屈曲して形成するモチーフの丸めた部分に丸カンを通してモチーフユニットを作り、前記丸カンを共有することで複数の前記ビーズユニット及び前記モチーフユニットを連ねたものを用いて、装飾品を製作するための製作用の治具であって、前記線材を巻きつけるための筒状の本体と、この本体の開放された先端部に長手方向へ形成され前記丸カンを挿入できるスリットと、を有することを特徴とする装飾品製作用の筒状治具である。
【００１１】
第二発明は、さらに、前記金属製の線材は、ワイヤーまたはピンであり、前記ビーズユニットは、前記ビーズに形成した貫通孔に前記線材を通して固定し、この固定した線材の丸めた部分に丸カンを通して作ったものであり、前記装飾品はネックレス、イヤリング、リストリング、またはアンクルリングであることを特徴とする装飾品製作用の筒状治具である。
【００１２】
第三発明は、さらに、前記筒状の本体の先端部付近には、前記線材の始端部を挿入して係止するための係止孔が設けられていることを特徴とする装飾品製作用の筒状治具である。
第四発明は、さらに、前記筒状の本体の先端部付近は、複数に分岐し、これら複数の先端部に、前記スリットが形成されていることを特徴とする装飾品製作用の筒状治具である。
第五発明は、さらに、前記筒状の本体の先端部付近は、複数に分岐し、これら複数のうち一部の先端部には、前記スリットが形成され、残りの先端部は、径の異なる筒状となり、前記線材を連続して巻きつけることで前記モチーフがデザインされることを特徴とする装飾品製作用の筒状治具である。
【００１３】
第六発明は、前記第一、第二、第三、または第四発明の筒状治具を複数隣接して固定し、これら複数の筒状治具に前記線材を連続して巻きつけることで前記モチーフをデザインして前記モチーフユニットを作り、前記装飾品を製作するための製作用の治具であって、前記筒状治具の基部を挿入し固定するための多数の固定穴を有することを特徴とする装飾品製作用のデザインボード治具である。
【００１４】
第七発明は、前記第一、第二、第三、または第四発明の筒状治具を複数隣接して固定し、これら複数の筒状治具に前記線材を連続して巻きつけることで前記モチーフをデザインして前記モチーフユニットを作り、前記装飾品を製作するための製作用の治具であって、前記筒状治具の基部を挿入するための溝と、この挿入された基部を締め付けることで前記溝における長手方向の位置を固定するネジ機構（移動または固定式も可、複数も可）と、を有することを特徴とする装飾品製作用のデザインボード治具である。
【００１５】
第八発明は、前記第一、第二、第三、または第四発明の筒状治具と、第五、または第六発明のデザインボード治具と、前記線材を巻きつけることで前記モチーフをデザインする際に、前記線材を補助的に支持するための形状を先端に形成した補助筒状治具と、を備えたことを特徴とする装飾品製作用の治具セットである。
【発明の効果】
【００１６】
第一、第二、第三、第四、第五、第六、第七、又は第八発明によれば、線材を筒状治具の本体に巻きつけて丸めた部分を形成する際に、丸カンをスリットに挿入できるので、丸カンが芯材としての筒状治具の本体に干渉せず、よって、きれいな丸みが形成できる。また、線材を筒状治具の本体に巻きつけてモチーフを形成する際に、丸カンをスリットに挿入できるので、丸カンが芯材としての筒状治具の本体に干渉せず、よって、きれいなモチーフが形成できる。
【００１７】
第三、第四、第五、第六、第七、又は第八発明によれば、さらに、線材の始端部を筒状治具の本体に巻きつける際に、始端部を係止孔に挿入することで係止でき、よって、線材をピンと張った状態で巻きつけ作業ができ、きれいな丸みやきれいなモチーフが形成できる。
【００１８】
第四、第五、第六、第七、又は第八発明によれば、さらに、筒状の本体の先端部付近は、複数に分岐し、これら複数の先端部に、前記スリットが形成されていることで、モチーフの慣用的な一部を、あらかじめ１本の筒状治具で形成でき、複雑な形状を有するモチーフを形成しやすい。
【００１９】
第五、第六、第七、又は第八発明によれば、さらに、筒状の本体の先端部付近は、複数に分岐し、これら複数のうち一部の先端部には、前記スリットが形成され、残りの先端部は、径の異なる筒状となっていることで、モチーフの慣用的な一部を、あらかじめ１本の筒状治具で形成でき、複雑な形状を有するモチーフを形成しやすい。
【００２０】
第六、第七、又は第八発明によれば、デザインボード治具に設けられた多数の固定穴のうち任意の複数の穴を選択することで、モチーフをデザインし、これらの穴に、筒状治具の基部を挿入し固定して、これら複数の筒状治具に線材を連続して巻きつけることで、モチーフユニットを容易に作ることができる。
【００２１】
第七、又は第八発明によれば、デザインボード治具に設けられた溝へ筒状治具の基部を挿入し、この挿入された基部をネジ機構によって締め付けることで、複数の筒状治具の任意の位置関係を固定することができ、これら複数の筒状治具に線材を連続して巻きつけることで、モチーフユニットを容易に作ることができる。
【００２２】
第八発明によれば、さらに、デザインボード治具の固体穴や溝に、補助筒状治具を固定し、この補助筒状治具の先端の形状で、線材を補助的に支持することができるので、モチーフユニットをさらに容易に作ることができる。
【発明を実施するための最良の形態】
【００２３】
この発明の実施形態を、図１から図２２に示す。
【００２４】
［全体概略］
ビーズ１（図６（Ｂ）、図９（Ｂ）など）に貫通などした金属製の線材であるワイヤー３（図７（Ｆ）図１０（Ａ））やピンにより、ビーズ１と線材の固定が行われる（図７（Ｇ）〜（Ｉ）、図１０（Ｂ）〜図１１（Ｊ）など）。その線材の丸めた部分に丸カン５（図６（Ｃ）、図９（Ｃ）など）を通してビーズユニット７（図７（Ｊ）、図１１（Ｋ）など）を作る。その際に、筒状治具６（図３）を用いる。この１個のビーズユニット７を用いて（図１２（Ｅ））、または丸カン５を共有することで複数のビーズユニット７を連ねたもの（図６（Ｄ）など）を用いて、装飾品９（図６（Ｄ）は完成品の一部を示す）を製作する。
【００２５】
また、複数の筒状治具６（図３）をデザインボード治具１１（図１、図２）に固定し、ワイヤー３やピンなどの線材を連続して巻きつけることで、モチーフ１３と呼ばれる抽象的形状（図１２（Ｃ）、図２１（Ｇ））や花びらなどの具体的形状などをデザインする。その際に、モチーフ１３の丸めた部分に丸カン５を通して（図１３（Ｂ）、図１３（Ｅ）など）モチーフユニット１５を作り、この丸カン５をモチーフユニット間で共有することで、複数のビーズユニット及びモチーフユニット１５を連ねた装飾品９（図６（Ｄ）、図１７（Ｄ）、図２０（Ｄ）など（これらの図は完成品の一部を示す））を製作する。
【００２６】
［デザインボード治具１１］
このうち図１は、この発明の一実施形態を示すデザインボード治具１１を、作業台などへ取付けるための取付機構３３とともに表す。図２は、図１のデザインボード治具１１をより上方から見た斜視図である。このデザインボード治具１１には、後述する図３の筒状治具６を、単独で、あるいは複数隣接して固定する。
【００２７】
デザインボード治具１１の表面には、複数の筒状治具６の基部を挿入し固定するための多数の固定穴１７群を有する。筒状治具６は、筒の径が太いもの（図３（Ａ）（Ｂ）（Ｄ）（Ｅ）（Ｆ））と細いもの（図３（Ｃ））があり、固定穴群も二つのグループに分かれている。
【００２８】
デザインボード治具１１の表面の左右サイドには、図２に示すように、筒状治具６の基部を挿入するための溝１９が合計２条形成される。この挿入された基部を締め付けることで溝１９における長手方向の位置を固定するネジ機構２１が設けられる。ネジ機構２１は、デザインボード治具１１の表面の側面に、溝１９に沿ってスリット窓２３が設けられ、スリット窓２３にネジ軸２５が通される。ネジ軸２５には雄ネジが形成され、図示しないスペーサーの雌ネジと螺合する。スペーサーは、溝１９の中に保持される。
【００２９】
スリット窓２３の外に位置するネジの頭２７を回転すると、スペーサーはネジの頭２７の方へ、つまり手前へ移動する。よって、スペーサーと手前の溝内壁の間に、筒状治具６の基部を挟んで固定できる。ネジの頭２７を反対に回転して、ネジを緩めれば、ネジやスペーサーは、スリット窓２３に沿って、すなわち溝１９に沿って、長手方向へ移動でき、したがって、長手方向の筒状治具６の位置を任意に選択できる。
【００３０】
なお、ネジ機構２１は、以上のように移動式であっても良いが、スペーサーを溝１９の中で長く形成させれば、静止した一組のネジとスペーサーによって、複数の筒状治具６を同時に固定する静止式とすることも可である。
【００３１】
デザインボード治具１１の表面の四辺の縁には、目盛り２９が形成され、固体された複数の筒状治具６の間隔を計測するのに便利である。例えば、後述する第四作業例（図１４、図１５）などのｗ留め、または筒状治具６を２本セットで使う場合で、ワイヤーなどの線材を巻きつける間隔を調節する場合、線材の太さによって、２本の筒状治具６の先端で形成される間隔の幅が変わるので、その間隔を計測するのに便利である。
【００３２】
デザインボード治具１１の下面には、十分な摩擦のあるユニバーサルジョイント３１を介して、取付機構３３が設けられる。取付機構３３は、コの字状の部分３５に、作業台の板の端部を挟み、コの字の下辺３７に設けられたネジ３４を、ハンドル３６で回すことにより、ネジ３４の先端が作業台の板の下面を押圧し、よって作業台の板を、ネジ３４の先端とコの字状の部分３５の上辺との間に挟んで、取り付けを行う。
【００３３】
［筒状治具６］
図３（Ａ）（Ｂ）（Ｃ）（Ｄ）（Ｅ）（Ｆ）は、図２のデザインボード治具１１に固定されて用いられるいろいろの筒状治具６を示す斜視図である。
【００３４】
これらの筒状治具６は、ワイヤーなどの金属製の線材を任意の形状に屈曲し、あるいは丸める作業を行うためのものである。また、丸めた部分に丸カン５を通してビーズユニット７を作る。そして、この１個のビーズユニット７を用いて、または丸カン５を共有することで複数のビーズユニット７を連ねたものを用いて、装飾品９を製作する。
【００３５】
あるいは、線材を屈曲してモチーフ１３を形成する作業を行うためのものである。このモチーフ１３の丸めた部分に、丸カン５を通してモチーフユニット１５を作る。そして、丸カン５を共有することで複数のビーズユニット及び／またはモチーフユニット１５を連ねたものを用いて、装飾品９を製作する。
【００３６】
線材を巻きつけるための筒状の本体３９の開放された先端部には、長手方向へスリット４１が形成される。このスリット４１へ丸カン５を挿入できるので、丸カン５が筒状治具６の本体３９に干渉せず、よって、きれいな丸みやモチーフ１３が形成できる。
図３（Ａ）の筒状治具６には、さらに、先端付近が９０度屈曲して、逆Ｌ字状になっており、スリット４１は片側面だけに形成される。
【００３７】
図３（Ｂ）の筒状治具６は、２本セットで使用される。両筒状治具６、４３とも先端付近がクランク状に屈曲し、隣接させたときに、先端同士が接近し易い。図３（Ｂ）の右側の筒状治具６は、スリット４１が両側面に形成される。図３（Ｂ）の左側の筒状治具６は、線材を補助的に支持するためのＵ字状の形状を先端に形成した補助筒状治具４３として、使用される。スリット４１は形成されない。デザインボード治具１１の固体穴１７や溝１９に、この補助筒状治具４３を固定し、この補助筒状治具４３の先端の形状で、線材を補助的に支持することができるので、ビーズユニット７をさらに容易に作ることができる。
【００３８】
図３（Ｃ）（Ｄ）の筒状治具６には、さらに、線材の始端部４５を挿入して係止するための係止孔４７が設けられている（図１３（Ａ）参照）。よって、線材をピンと張った状態で巻きつけ作業ができ、きれいな丸みやきれいなモチーフ１３が形成できる。図３（Ｃ）の筒状治具６には、スリット４１は片側面に形成される。
図３（Ｄ）の筒状治具６は、２本セットで使用される。図３（Ｄ）の右側の筒状治具６は、スリット４１が両側面に形成される。図３（Ｄ）の左側の筒状治具６は、スリット４１が片側面に形成される。
【００３９】
図３（Ｅ）（Ｆ）の筒状治具６は、さらに、先端部付近が、４つあるいは６つに分岐し、これら複数の先端部４９に、スリット４１が形成されている。よって、モチーフ１３の慣用的な一部を、あらかじめ１本の筒状治具６で形成でき、複雑な形状を有するモチーフ１３を形成しやすい。
図３（Ｅ）の筒状治具６は２本セットで使用される。各筒状治具６の４つの分岐した先端部４９には、それぞれ片側面にスリット４１が形成される。これらのスリット４１は、４つの先端部４９が集合した中心から見て、外側に形成される。うち１本の各筒状治具６は、４つの分岐した先端部４９のうち１つに、片側面のスリット４１と反対の側面にも別のスリット４１が形成され、結局、スリット４１は両側面に形成される。
【００４０】
図３（Ｆ）の筒状治具６は、さらに、筒状の本体３９の先端部４９付近が、６つに分岐し、これら複数のうち４つの先端部４９には、スリット４１が形成され、残りの２つの先端部４９は、径の異なる筒状となり、線材を連続して巻きつけることで、慣用的な形状のモチーフ１３が、あらかじめ１本の筒状治具６で形成でき、容易にデザインされる。筒状治具６の分岐したうちの４つの先端部４９には、それぞれ片側面にスリット４１が形成される。これらのスリット４１は、４つの先端部４９が集合した中心から見て、外側に形成される。うち１つの先端部４９に、片側面のスリット４１と反対の側面にも別のスリット４１が形成され、結局、スリット４１は両側面に形成される。
【００４１】
これらはモチーフ１３の形態により決定される。  
図４は、図２のデザインボード治具１１に固定されて用いられている筒状治具６の例を示す斜視図である。
【００４２】
このデザインボード治具１１は、筒状治具６を数本一度に差し込んで固定できるので、いつも使うサイズ、デザインの筒状治具６は、そのまま交換しないで使うことができる。例えば、ペンダントをつくるばあいには、図３（Ａ）の筒状治具６で、ビーズを入れためがね留めのチェーンをつくり、留め具は図３（Ｄ）の筒状治具６でｗ留めをし、中央のペンダントヘッドは図３（Ｂ）の筒状治具６でチャーム留めで作る。これらの筒状治具６はいつも使うので、デザインボード治具１１の使いやすい箇所に全てセットしておくことができる。
【００４３】
［第一作業例］
図６は、第一作業例を示すもので、（Ａ）は、図３（Ａ）の１本の筒状治具６をデザインボード治具１１に固定して装飾品９を製作する状態を示す斜視図、（Ｂ）は、（Ａ）の製作に用いられる球形のビーズ１の図、（Ｃ）は、（Ａ）の製作に用いられる丸カン５の図、（Ｄ）は、（Ａ）の製作により得られる装飾品９の図である。
【００４４】
この例においてビーズ１を線材で固定する方法は、めがね留めと呼ばれるもので、ワイヤー３またはピンなどの線材を、ビーズ１の貫通孔１Ａに貫通させ、端をめがねのように丸めて輪にし、その輪の部分の根元で、線材を２〜３回ぐるぐるっと巻いて仕上げる留め方である（図７（Ｃ）〜（Ｉ））。
【００４５】
図７（Ａ）から（Ｊ）、図８（Ｋ）から（Ｏ）は第一作業例の手順を示す図である。
まず、必要な長さの線材であるワイヤー３を丸カン５に通し（図７（Ａ））、丸カン５を筒状治具６のスリット４１にいれたまま、ワイヤー３の先を筒状治具６にかけて輪をつくり、さらにワイヤー３を90度位にする（図７（Ｂ）（Ｃ））。そして、そのままワイヤー３を輪の根元に2〜3回巻きつける（図７（Ｄ））。本実施形態によれば、輪を作る、巻きつけるが、一連の動作でできる。あまったワイヤー３を切る（図７（Ｅ））。
【００４６】
次に、この出来上がったパーツを下にして、ビーズ１と丸カン５を通す（図７（Ｆ））。そして、丸カン５を筒状治具６のスリット４１にいれたままワイヤー３の先を筒状治具６にかけて、巻きつける部分をのこして輪をつくり、ワイヤー３を90度位にする（図７（Ｇ）（Ｈ））。そして、そのままワイヤー３を輪の根元に2〜3回巻きつける（図７（Ｉ））。本実施形態によれば、輪を作る、巻きつけるが、一連の動作でできる。あまったワイヤー３を切る（図７（Ｊ））。このようにして、ビーズユニット７ができる。
【００４７】
さらに、このビーズユニット７の丸カン５の部分に、ワイヤー３を通す（図８（Ｋ））。そして、丸カン５を筒状治具６のスリット４１にいれたまま、ワイヤー３を筒状治具６にかけて輪をつくり、ワイヤー３を90度位にする（図８（Ｌ）（Ｍ））。そして、そのままワイヤー３を輪の根元に2〜3回巻きつける（図７（Ｎ））。あまったワイヤー３を切る（図８（Ｏ））。このあとは（図７（Ｆ））のビーズ１と丸カン５を通す手順からくりかえす。これにより、図６（Ｄ）の装飾品９が製作される。
【００４８】
［第二作業例］
図９は、第二作業例を示すもので、（Ａ）は、図３（Ｂ）の筒状治具６をデザインボード治具１１に固定して装飾品９を製作する状態を示す斜視図、（Ｂ）は、（Ａ）の製作に用いられるビーズ１の図、（Ｃ）は、（Ａ）の製作に用いられる丸カン５の図、（Ｄ）は、（Ａ）の製作により得られるビーズユニット７の図である。
【００４９】
この例においても、ビーズ１を線材で固定する方法は、前述しためがね留めと呼ばれるものの一種であるが、ビーズ１をチャームのようにぶら下げるのでチャーム留めとも呼ばれる。この留め方はドロップビーズ、しずく型のビーズのように横に貫通孔が開いているビーズを留める方法である。
【００５０】
準備として、図９（Ａ）のデザインボード治具１１に、図３（Ｂ）の筒状治具６をネジ機構２１で固定する。図３（Ｂ）のうち左側の筒状治具６は、線材を補助的に支持するためのＵ字状の形状を先端に形成した補助筒状治具４３として、使用される。このとき、これら２本の筒状治具６の先端で形成される間隔の幅は、ワイヤー３の太さにあわせて調節し変えなければならない。そのため、ネジ機構２１を、ネジを緩めて溝１９に沿って移動し、筒状治具６の位置を選択する。
【００５１】
図１０（Ａ）から（Ｆ）、図１１（Ｇ）から（Ｋ）は第二作業例の手順を示す図である。
まずワイヤー３にビーズ１を通す（図１０（Ａ））。そして、通したワイヤー３の両端を、ビーズ１にそわせて手で押さえる（図１０（Ｂ））。そのまま、隣接させて固定した２本の筒状治具６にワイヤー３を支持させる（図１０（Ｃ）（Ｄ））。すなわちワイヤー３の短い部分３Ａを、補助筒状治具４３のＵ字状の形状の部分と、両スリットとに、直線的に通す。ワイヤー３の長い部分３Ｂを、Ｕ字状の形状の部分に入れ、９０度に曲げて両筒状治具６の間から外へ露出させる。この露出するワイヤー３の部分３Ｂに、丸カン５を通す。
【００５２】
次に、丸カン５を入れたワイヤー３を筒状治具６に巻き、丸カン５をスリット４１にいれたまま、さらに、巻いて丸め、再び両筒状治具６の間に入れる（図１０（Ｅ）（Ｆ））。このとき、補助筒状治具４３があるとワイヤー３を巻きつけることができないので、補助筒状治具４３の先端部分４４を下に下げる。
【００５３】
この下に下げる機構を、補助筒状治具４３は有する。すなわち、補助筒状治具４３の先端部分４４のクランク状の基部４３ａは、筒状のベース部４３ｂの内部に収納され（図１０（Ｅ２）（Ｅ３））、上下にスライド可能で、スプリング４３ｃにより上方に付勢されている。基部４３ａには、他のスプリング４３ｄによって横方向外側へ付勢される突起４３ｅが設けられ、通常はこの突起が筒状のベース部４３ｂの窓に嵌入して、上下のスライドをロックしている。窓に嵌入し外部に露出している突起４３ｅを、窓の中に押し込みながら、先端部分４４を下に押すと下がる（図１０（Ｅ４）（Ｅ５））が、押すことを止めると、先端部分は再び上昇し、再び、突起４３ｅが、ベース部４３ｂの窓に嵌入しロックがされる。
【００５４】
そして、補助筒状治具４３の先端部分を下に下げたままワイヤー３を2〜3回巻きつける（図１１（Ｇ）（Ｈ））。そして、製作途中の装飾品９を筒状治具６から外し（図１１（Ｉ））、補助筒状治具４３のＵ字状の形状の部分にいれておいたワイヤー３の部分３Ａを、90度にまげる（図１１（Ｊ））。あまったワイヤー３を切って完成する（図１１（Ｋ））。
【００５５】
［第三作業例］
図１２は第三作業例を示すもので、（Ａ）は、図３（Ｃ）の筒状治具６をデザインボード治具１１に固定して装飾品９を製作する状態を示す斜視図、（Ｂ）は、（Ａ）の製作に用いられるビーズユニットの図、（Ｃ）は、（Ａ）の製作に用いられるモチーフ１３の図、（Ｄ）は、（Ａ）の製作に用いられるイヤーフックと呼ばれる金具の図、（Ｅ）は、（Ａ）の製作により得られる装飾品９であるイヤリングの図である。
【００５６】
この例は、モチーフ１３を作りながら、他のビーズユニット７をつなぐ例である。この例の特徴は、シンプルな形状の同じ筒状治具６を数本隣接して固定しモチーフ１３を作る点であり、筒状治具６を分割する（図３（Ｅ）（Ｆ））ものでなく、よって、ワイヤー３を、筒状治具６の先端部４９で形成されつつあるモチーフ１３の下を通したり上を通したりして、自在にかけられることになる。このため、同じ配置の筒状治具６で数パターンのモチーフ１３をつくることができる。
【００５７】
準備として、図１２（Ａ）のデザインボード治具１１の固定穴１７に、図３（Ｃ）の筒状治具６を４本さしこむ。この筒状治具６には、ワイヤー３の始端部４５を挿入して係止するための係止孔４７が設けられている。
【００５８】
図１３（Ａ）から（Ｋ）は第三作業例の手順を示す図である。
４本のうち図中上側の１本の筒状治具６の係止孔４７に、ワイヤー３の始端部４５を挿入し、そのワイヤー３を反時計回りに隣接する２つ目の筒状治具６に巻き、３つ目の筒状治具６の右横に出す（図１３（Ａ））。出したワイヤー３の他端部に、第二作業例で製作したビーズユニット７の丸カン５を通す（図１３（Ｂ））。さらに、ワイヤー３を３つ目の筒状治具６に巻く。このとき、丸カン５は３つ目の筒状治具６のスリット４１に挿入する。そして、ワイヤー３を４つ目の筒状治具６に巻き、はじめの筒状治具６の左横に出す（図１３（Ｃ）（Ｄ））。
【００５９】
出したワイヤー３の他端部に、イヤーフックと呼ばれる金具の丸カン５を通す（図１３（Ｅ））。この丸カン５をはじめの筒状治具６のスリット４１に挿入したまま、はじめの筒状治具６に巻き、四葉のようなモチーフ１３の概略が形成される。さらに、モチーフが崩れないように、またワイヤーの端の処理をするために、このモチーフ１３の中心の下を通して、２つ目と３つ目の筒状治具６の間から外に出す（図１３（Ｆ）（Ｇ））。出したワイヤー３を、モチーフ１３の上で右に倒す（図１３（Ｈ））。また、はじめに筒状治具６の係止孔４７に挿入していたワイヤー３の始端部４５を、外し、モチーフ１３の下から出して、上で左に倒す（図１３（Ｉ））。あまったワイヤー３を切って完成する（図１３（Ｊ）（Ｋ））。
【００６０】
［第四作業例］
図１４は、第四作業例を示すもので、（Ａ）は、図３（Ｄ）の筒状治具６をデザインボード治具１１に固定して装飾品９を製作する状態を示す斜視図、（Ｂ）は、（Ａ）の製作に用いられるマンテルと呼ばれる留め具の図、（Ｃ）は、（Ａ）の製作に用いられる図７（Ｊ）に示すビーズユニットの図、（Ｄ）は、（Ａ）の製作により得られる装飾品９（図１４（Ｄ）は完成品の一部を示す））の図である。
【００６１】
この例は、Ｗめがね留めと呼ばれるもので、ワイヤー３は2つの輪を形成して、他のユニットの丸カン５を共有し連なる構造である。W 留めの基本となるシンプルな例であり、ビーズを入れないでワイヤーだけでチェーンを作ることができる。
準備として、図１４（Ａ）のデザインボード治具１１に、図３（Ｄ）の筒状治具６をネジ機構２１で固定する。２つの筒状治具６は、所定の間隔だけあけて配置、固定される。この間隔は、ワイヤー３を巻きつけるスペースになる。
【００６２】
図１５（Ａ）から（Ｄ）、図１６（Ｅ）から（Ｋ）は第四作業例の手順を示す図である。
まずワイヤー３を、ビーズユニット７の丸カン５へ通し、全体をＵ字状にする（図１５（Ａ））。そして、その丸カン５を、一方の筒状治具の片面のスリットに４１に挿入し、ワイヤー３の始端部４５を、他方の筒状治具６の両側面のスリット４１に通す。ワイヤー３の他の端部は、筒状治具６に沿わせる。（図１５（Ｂ）（Ｃ））。
【００６３】
次に、２つの筒状治具６の間に存在する部分を平ペンチ５０で軽くはさんでワイヤー３を巻きつけやすくする（図１５（Ｄ））。沿わしたワイヤー３にマンテルの丸カン５をいれる（図１６（Ｅ））。
【００６４】
マンテルの丸カン５を、筒状治具６のスリット４１に挿入したまま、その筒状治具６にまき、２つの筒状治具６の間に通して丸め90度位にする（図１６（Ｆ）（Ｇ））。そのままワイヤー３を2〜3回巻きつける（図１６（Ｈ））。そして、はじめに筒状治具６の両側面のスリット４１に通しておいたワイヤー３の始端部４５を、取り出し、90度に曲げる（図１６（Ｉ）（Ｊ））。余ったワイヤー３、４５を切って完成する（図１６（Ｋ））。
【００６５】
［第五作業例］
図１７は、第五作業例を示すもので、（Ａ）は、図３（Ｅ）の筒状治具６をデザインボード治具１１に固定して装飾品９を製作する状態を示す斜視図、（Ｂ）は、（Ａ）の製作に用いられるビーズユニットの図、（Ｃ）は、（Ａ）の製作に用いられる丸カン５の図、（Ｄ）は、（Ａ）の製作により得られる装飾品９（図は完成品の一部を示す）の図である。
【００６６】
この例は、モチーフ１３を作りながら、Ｗ留めをする例である。モチーフ作りでは、ワイヤー３のかけ方を、上だけを通さずにワイヤー３の下をも通す。そうすることで、ワイヤー３は、モチーフ１３の中央をすべて交差するように通ることになる。交差することで、モチーフがくずれにくくできる。
【００６７】
そして、図３（Ｅ）及び図１７（Ａ）に示すように、筒状治具６は、２本セットで使用される。各筒状治具６は４つの分岐した先端部４９を有する。２本とも４つの先端部４９の配置は同じであるが、一方は、分岐が２段に行われる。すなわち、はじめに二つに分岐し、一方には１つの先端部４９が形成され、他方はさらに３つに分岐し、３つの先端部４９が形成される。いわば、１つと３つに分割した形状を有する。この分割形状により、ワイヤー３が、モチーフ１３の中央を交差する際に、上下から交差でき、交差部の厚みを薄く、コンパクトにできる。
【００６８】
図１８（Ａ）から（Ｋ）、図１９（Ｌ）から（Ｏ）は第五作業例の手順を示す図である。
まず、ワイヤー３を図下の筒状治具６の中央斜めに位置させ、ビーズユニット７の丸カン５を通す（図１８（Ａ））。このビーズユニットの丸カン５を、筒状治具の右の先端部４９Ａのスリット４１に挿入して、その先端部４９Ａに巻き、別の丸カン５を通す（図１８（Ｂ）（Ｃ））。巻いたワイヤー３を筒状治具６の中央で逆斜めにクロスさせ、時計回りに２つ目の筒状の先端部４９Ｂに巻き、丸カン５をその先端部４９Ｂのスリット４１に挿入する。巻いたワイヤー３を筒状治具６の中央で逆方向から斜めにクロスさせ、３つ目の筒状の先端部４９Ｃに巻き、筒状治具６の中央で反対方向から逆斜めにクロスさせ、３つ目と４つ目の先端部４９Ｃ、４９Ｄの間から外に出す（図１８（Ｄ））。
【００６９】
次に、出したワイヤー３Ｓを、はじめのワイヤー３Ｆの下に位置させる（図１８（Ｅ））。このはじめのワイヤー３Ｆを、図上の筒状治具６の下側の先端部４９Ｅに形成された両側面のスリット４１に通す。出したワイヤー３Ｓと２本一緒にし、後でワイヤー３Ｓをまきやすくするために、両筒状治具６の間に位置する部分を、平ペンチ５０でかるくおさえる（図１８（Ｆ））。
【００７０】
この出したワイヤー３Ｓは、図上の筒状治具６の下側の先端部４９Ｅ横を通って、筒状治具６の中央斜めを通り、時計回りに二つ目の筒状の先端部４９Ｆに巻き、巻いたワイヤー３Ｓを筒状治具６の中央で逆斜めにクロスさせ、３つ目の筒状の先端部４９Ｇに巻き、丸カン５を通す（図１８（Ｇ））。そして、その３つ目の先端部４９Ｇのスリット４１に挿入し、さらに、ワイヤー３Ｓを筒状治具６の中央で逆方向から斜めにクロスさせ、ビーズユニット７の丸カン５を通し（図１８（Ｈ））、４つ目の筒状の先端部４９Ｈに巻き、丸カン５を筒状の端部のスリット４１に挿入し、筒状治具６の中央で反対方向から逆斜めにクロスさせ、はじめと二つ目の先端部４９Ｅ、４９Ｆの間から外に出し（図１８（Ｉ）（Ｊ））９０度位にする。そして、そのままワイヤー３Ｓを２〜３回巻きつける（図１８（Ｋ））。
【００７１】
次に、図上の筒状治具６の下側の先端部に形成された両側面のスリット４１に通していたこのはじめのワイヤー３Ｆを（図１９（Ｌ））、90度に曲げ（図１９（Ｍ））、あまったワイヤー３を切っての今回のモチーフユニット１５が完成する（図１９（Ｎ））。
【００７２】
この後は図１８（Ａ）から図１８（Ｆ）までの手順をくりかえす。そして、繰り返しの図１８（Ｆ）の手順で、出したワイヤー３を、既に完成したモチーフユニット１５の丸カン５に通す（図１９（Ｏ））。通した後は、図１８（Ｈ）からの手順をくりかえす。このようにして図１７（Ｄ）の装飾品９（図は完成品の一部を示す）が完成する。
【００７３】
なお、図１９（Ｐ）は第五作業例の他の変形例を示す図である。
すなわち、以上の例では、２本セットで使用される筒状治具６のうち１本は、４つの先端部４９が、いわば、１つと３つに分割した形状を有したが、他の変形例では、このような分割形状を採らないことが可能である。
【００７４】
［第六作業例］
図２０は、第六作業例を示すもので、（Ａ）は、図３（Ｆ）の筒状治具６をデザインボード治具１１に固定して装飾品９を製作する状態を示す斜視図、（Ｂ）は、（Ａ）の製作に用いられるビーズ１の図、（Ｃ）は、（Ａ）の製作に用いられる丸カン５の図、（Ｄ）は、（Ａ）の製作により得られる装飾品９の図である。
【００７５】
この例は、モチーフ１３を作りながらビーズ１を通してめがね留めをし、丸カン５でつなぎ、装飾品９であるチェーンを作る。この筒状治具６は、モチーフ１３をデザインどおりにするためと、めがね留めを同じ筒状治具６で作るためのものである。筒状治具６は分割している。分割することで、ワイヤー３の扱いが容易で、ワイヤー３を折り曲げずに済む。
【００７６】
図３（Ｆ）の筒状治具６は、さらに、先端部４９付近が、６つに分岐するが、この分岐は２段に行われる。すなわち、はじめに二つに分岐し、一方はさらに分岐して２つの先端部４９ｄ、４９ｅが形成され（図２１（Ａ）（Ｂ）（Ｃ）参照）、他方はさらに分岐して４つの先端部４９ａ、４９ｂ、４９ｃ、４９ｆ（図２１（Ａ）（Ｂ）（Ｃ）参照）が形成される。いわば、２つと４つに分割した形状を有する。分割形状にすることで、ワイヤー３の扱いが容易で、ワイヤー３を、鋭く折り曲げず傷つけることがない様にできる。
【００７７】
これらの６つの先端部４９は、図のように左右対称に配置される。図中の上の１つ４９ａと、下の３つ４９ｃ、４９ｄ、４９ｅは、円筒状の先端部４９であり、スリット４１が形成される。残りの中央の２つ４９ｂ、４９ｆは、径の異なる大きな筒状となる。
図２１（Ａ）から（Ｇ）、図２２（Ｈ）から（Ｎ）は第六作業例の手順を示す図である。
まずワイヤー３は、図下のはじめの先端部４９の左横から入って、反時計回りに、下右の２つ目の先端部４９ｃの上を通ってこの先端部４９ｃを巻き、その上の右の大きな３つ目の先端部４９ｂの外を巻き、図上の４つ目の先端部４９ａの下を通って外に出る（図２１（Ａ））。
【００７８】
外に出たワイヤー３に丸カン５を通し（図２１（Ｂ））、４つ目の先端部４９ａを巻き、この先端部４９ａのスリット４１に丸カン５を挿入し、その下の左の大きな５つ目の先端部４９ｆの外を巻き、その下の６つ目の先端部４９ｅの下を通ってこの先端部４９ｅを巻き、はじめと二つ目の先端部４９ｄ、４９ｃの間を通って、はじめのワイヤー３Ｆに対して９０度くらいに位置させ（図２１（Ｃ）（Ｄ）（Ｅ））、そのままワイヤー３を2〜3回巻きつける（図２１（Ｆ））。余分なワイヤー３を切ってモチーフ１３の部分が完成する（図２１（Ｇ））。筒状治具６からモチーフ１３を外す。
【００７９】
そして、ワイヤー３の端部へビーズ１と丸カン５を通す（図２２（Ｈ））。ワイヤー３の端部を処理するために、図下の先端部４９ｄのスリット４１に丸カン５を挿入したまま、巻きつける部分を残し、ワイヤー３を先端部４９ｄに巻き丸め、巻きつける部分に対して90度位にする（図２２（Ｉ）（Ｊ））。そのままワイヤー３を2〜3回巻きつけ（図２２（Ｋ））、あまったワイヤー３を切って、今回のビーズユニット７が完成する（図２２（Ｌ））。
【００８０】
この後は、図２１（Ａ）と同じ手順に戻り（図２２（Ｍ））、図２１（Ｂ）の手順で丸カン５の代わりに、既に完成したビーズユニット７の丸カン５を通す（図２２（Ｎ））。そして、図２１（Ｃ）からの手順を繰り返す。
【００８１】
なお、図２２（Ｏ）は第六作業例の他の変形例を示す図である。
すなわち、以上の例では、図３（Ｆ）の筒状治具６は、６つの先端部４９が、２段の分岐により形成され、いわば２つと４つに分割した形状を有するものであった。しかし、他の変形例では、このような分割形状を採らないことも可能である。
【００８２】
「実施形態の効果」
この実施形態によれば、線材であるワイヤー３を筒状治具６の本体３９に巻きつけて丸めた部分を形成する際に、丸カン５をスリット４１に挿入できる（図７（Ｂ）（Ｇ）図８（Ｌ）図１０（Ｅ））ので、丸カン５が芯材としての筒状治具６の本体３９に干渉せず、よって、きれいな丸みが形成できる。
【００８３】
また、線材を筒状治具６の本体３９に巻きつけてモチーフ１３を形成する際に、丸カン５をスリット４１に挿入できる（図１３（Ｃ）（Ｆ）、図１８（Ｃ）（Ｊ）、図２１（Ｄ）（Ｉ））ので、丸カン５が芯材としての筒状治具６の本体３９に干渉せず、よって、きれいなモチーフ１３が形成できる。
【００８４】
さらに、線材であるワイヤー３の始端部４５を筒状治具６の本体３９に巻きつける際に、始端部４５を係止孔４７に挿入することで係止でき（図１３（Ａ））、よって、線材をピンと張った状態で巻きつけ作業ができ、きれいな丸みやきれいなモチーフ１３が形成できる。
【００８５】
さらに、筒状の本体３９の先端部４９付近は、複数に分岐し、これら複数の先端部４９に、スリット４１が形成されていることで、モチーフ１３の慣用的な一部を、あらかじめ１本の筒状治具で形成でき、複雑な形状を有するモチーフ１３を形成しやすい（図１７（Ｄ）図１８（Ｋ））。
【００８６】
さらに、筒状の本体３９の先端部４９付近は、複数に分岐し、これら複数のうち一部の先端部４９には、スリット４１が形成され、残りの先端部４９は、径の異なる筒状となっていることで、モチーフ１３の慣用的な一部を、あらかじめ１本の筒状治具で形成でき、複雑な形状を有するモチーフ１３を形成しやすい（図２１（Ｆ））。
【００８７】
また、デザインボード治具１１に設けられた多数の固定穴１７（図２）のうち任意の複数の穴を選択することで、モチーフ１３をデザインし、これらの穴に、筒状治具６の基部を挿入し固定して（図１２（Ａ））、これら複数の筒状治具６に線材であるワイヤー３を連続して巻きつけることで、モチーフ１３を容易に作ることができる（図１３（Ｉ））。
【００８８】
また、デザインボード治具１１に設けられた溝１９へ筒状治具６の基部を挿入し、この挿入された基部をネジ機構２１によって締め付けることで、複数の筒状治具６の任意の位置関係を固定することができ（図９（Ａ）図１４（Ａ）図１７（Ａ））、これら複数の筒状治具６に線材を連続して巻きつけることで、ビーズユニット７やモチーフユニット１５を容易に作ることができる（図１１（Ｇ）図１６（Ｈ）図１８（Ｋ））。
【００８９】
さらに、デザインボード治具１１の固体穴や溝１９に、補助筒状治具４３を固定し（図９（Ａ）、図１０（Ｃ））、この補助筒状治具４３の先端の形状で、線材であるワイヤー３を補助的に支持することができる（図１０（Ｃ）（Ｄ））ので、ビーズユニット７をさらに容易に作ることができる。
【００９０】
「他の実施形態」
以上の実施形態では、線材は、ワイヤー３ であったが、他の実施形態では、より短くて剛性のあるピンでも良い。
以上の実施形態では、ビーズユニットは、ビーズ１に形成した貫通孔に線材を通して固定し、この固定した線材の丸めた部分に丸カン５を通して作ったものであるが、他の実施形態では、ビーズ１を他の構造で線材に固定するものでもよい。例えば、複数の爪でつかんだ構造、接着剤で固定した構造などである。
【００９１】
以上の実施形態では、前記装飾品９はネックレスやイヤリングであったが、他の実施形態では、リストリングやアンクルリングなど他の装飾品９であってもかまわない。
以上の実施形態では、筒状治具６を固定するのに、デザインボード治具１１を用いたが、他の実施形態では、バイスや万力に挟んで固定し、装飾品９の製作を行うこともできる。
【図面の簡単な説明】
【００９２】
【図１】この発明の一実施形態を示すデザインボード治具を、作業台などへの取付機構とともに表す斜視図である。
【図２】図１のデザインボード治具をより上方から見た斜視図である。
【図３】（Ａ）（Ｂ）（Ｃ）（Ｄ）（Ｅ）（Ｆ）は、図２のデザインボード治具に固定されて用いられるいろいろの筒状治具を示す斜視図である。
【図４】図２のデザインボード治具に固定されて用いられている筒状治具の例を示す斜視図である。
【図５】図４のデザインボード治具の溝に筒状治具を固定するネジ機構を示す斜視図である。
【図６】第一作業例を示すもので、（Ａ）は、図３（Ａ）の筒状治具をデザインボード治具に固定して装飾品を製作する状態を示す斜視図、（Ｂ）は、（Ａ）の製作に用いられるビーズの図、（Ｃ）は、（Ａ）の製作に用いられる丸カンの図、（Ｄ）は、（Ａ）の製作により得られる装飾品の図である。
【図７】（Ａ）から（Ｊ）は第一作業例の手順を示す図である。
【図８】（Ｋ）から（Ｏ）は第一作業例の手順を図７の続きとして示す図である。
【図９】第二作業例を示すもので、（Ａ）は、図３（Ｂ）の筒状治具をデザインボード治具に固定して装飾品を製作する状態を示す斜視図、（Ｂ）は、（Ａ）の製作に用いられるビーズの図、（Ｃ）は、（Ａ）の製作に用いられる丸カンの図、（Ｄ）は、（Ａ）の製作により得られるビーズユニットの図である。
【図１０】（Ａ）から（Ｆ）は第二作業例の手順を示す図である。
【図１１】（Ｇ）から（Ｋ）は第二作業例の手順を図１０の続きとして示す図である。
【図１２】第三作業例を示すもので、（Ａ）は、図３（Ｃ）の筒状治具をデザインボード治具に固定して装飾品を製作する状態を示す斜視図、（Ｂ）は、（Ａ）の製作に用いられるビーズユニットの図、（Ｃ）は、（Ａ）の製作に用いられるモチーフの図、（Ｄ）は、（Ａ）の製作に用いられるイヤーフックと呼ばれる金具の図、（Ｅ）は、（Ａ）の製作により得られる装飾品であるイヤリングの図である。
【図１３】（Ａ）から（Ｋ）は第三作業例の手順を示す図である。
【図１４】第四作業例を示すもので、（Ａ）は、図３（Ｄ）の筒状治具をデザインボード治具に固定して装飾品を製作する状態を示す斜視図、（Ｂ）は、（Ａ）の製作に用いられる留め具の図、（Ｃ）は、（Ａ）の製作に用いられる図７（Ｊ）に示すビーズユニットの図、（Ｄ）は、（Ａ）の製作により得られる装飾品の図である。
【図１５】（Ａ）から（Ｄ）は第四作業例の手順を示す図である。
【図１６】（Ｅ）から（Ｋ）は第四作業例の手順を図１５の続きとして示す図である。
【図１７】第五作業例を示すもので、（Ａ）は、図３（Ｅ）の筒状治具をデザインボード治具に固定して装飾品を製作する状態を示す斜視図、（Ｂ）は、（Ａ）の製作に用いられるビーズユニットの図、（Ｃ）は、（Ａ）の製作に用いられる丸カンの図、（Ｄ）は、（Ａ）の製作により得られる装飾品の図である。
【図１８】（Ａ）から（Ｋ）は第五作業例の手順を示す図である。
【図１９】（Ｌ）から（Ｏ）は第五作業例の手順を図１８の続きとして示す図、（Ｐ）は他の変形例を示す図である。
【図２０】第六作業例を示すもので、（Ａ）は、図３（Ｆ）の筒状治具をデザインボード治具に固定して装飾品を製作する状態を示す斜視図、（Ｂ）は、（Ａ）の製作に用いられるビーズの図、（Ｃ）は、（Ａ）の製作に用いられる丸カンの図、（Ｄ）は、（Ａ）の製作により得られる装飾品の図である。
【図２１】（Ａ）から（Ｇ）は第六作業例の手順を示す図である。
【図２２】（Ｈ）から（Ｎ）は第六作業例の手順を図２１の続きとして示す図、（Ｏ）は他の変形例を示す図である。
【符号の説明】
【００９３】
１…ビーズ、３…ワイヤー、５…丸カン、６・・筒状治具、７…ビーズユニット、９…装飾品、１１…デザインボード治具、１３…モチーフ、１５…モチーフユニット、１７…固定穴、１９…溝、２１…ネジ機構、２３…スリット窓、２５…ネジ軸、２７…ネジの頭、２９…目盛り、３１…ユニバーサルジョイント、３３…取付機構、３５…コの字状の部分、３７…下辺、３９…本体、４１…スリット、４３…補助筒状治具、４５…始端部、４７…係止孔、４９…先端部。
【要約】
【課題】ビーズ１に固定した金属製の線材３の丸めた部分に丸カン５を通してビーズユニット７を作り、あるいは、金属製の線材３を屈曲して形成するモチーフ１３の丸めた部分に丸カン５を通してモチーフユニット１５を作り、それらの隣り合う丸カン５を共有することで複数のビーズユニット及びモチーフユニットを連ね、装飾品９を製作する際に、丸カンが、線材３を丸めるための芯材に干渉せず、きれいな丸みが形成でき、きれいなモチーフが形成でき、複雑な形状を有するモチーフを形成できる治具を提供する。
【解決手段】筒状治具６は、線材３を巻きつけるための筒状の本体３９と、この本体３９の開放された先端部４９に長手方向へ形成され前記丸カン５を挿入できるスリット４１と、を有する。複数の筒状治具６を、デザインボード治具１１の固体穴１７や溝１９に固定し、筒状治具６に線材を連続して巻きつけることで、モチーフユニット１５を容易に作れる。
【選択図】図１【図１】
0004111996.tif 000002
【図２】
0004111996.tif 000003
【図３】
0004111996.tif 000004
【図４】
0004111996.tif 000005
【図５】
0004111996.tif 000006
【図６】
0004111996.tif 000007
【図７】
0004111996.tif 000008
【図８】
0004111996.tif 000009
【図９】
0004111996.tif 000010
【図１０】
0004111996.tif 000011
【図１１】
0004111996.tif 000012
【図１２】
0004111996.tif 000013
【図１３】
0004111996.tif 000014
【図１４】
0004111996.tif 000015
【図１５】
0004111996.tif 000016
【図１６】
0004111996.tif 000017
【図１７】
0004111996.tif 000018
【図１８】
0004111996.tif 000019
【図１９】
0004111996.tif 000020
【図２０】
0004111996.tif 000021
【図２１】
0004111996.tif 000022
【図２２】
0004111996.tif 000023